(57)【特許請求の範囲】
【請求項１】
廃棄物処分場に重ねて敷設した遮水シートの間に、表面に円錐台状の凹凸を形成することにより連続した空隙を有する合成樹脂製面状部材を、該合成樹脂製面状部材の表面を不織布フィルタで被覆して、配設したことを特徴とする廃棄物処分場の遮水構造。
【請求項２】
廃棄物処分場の法面に敷設した遮水シートの近傍に、表面に円錐台状の凹凸を形成することにより連続した空隙を有する帯状の合成樹脂製面状部材を、該合成樹脂製面状部材の表面を不織布フィルタで被覆して、所定の間隔をあけて配設したことを特徴とする請求項１記載の廃棄物処分場の遮水構造。
【発明の詳細な説明】
【０００１】
【発明の属する技術分野】
本発明は、廃棄物処分場に埋め立てた廃棄物から染み出る汚染水により周囲の環境が汚染されるのを防止するために廃棄物処分場に遮水シートを敷設するようにした遮水構造に関するものである。
【０００２】
【従来の技術】
従来、産業廃棄物や一般廃棄物を焼却した残滓、その他の廃棄物を埋め立てにより処分する廃棄物処分場では、廃棄物処分場に埋め立てた廃棄物から染み出る汚染水により周囲の環境が汚染されないように、廃棄物処分場に遮水工を施すようにしている。
この遮水工としては、施工性、経済性、確実性、安全性等の観点から、従来より、廃棄物処分場にポリエチレン、ポリ塩化ビニル、ポリプロピレン等の合成樹脂製の遮水シート又はゴム製の遮水シートを敷設する方式の遮水構造が広く用いられている。
【０００３】
ところで、廃棄物処分場に遮水シートを敷設する遮水構造の場合、埋め立てられた廃棄物自体の重量や埋め立てられた廃棄物に含まれる鋭利な物体等により遮水シートが損傷を受けることがある。
そして、遮水シートが損傷を受けると、この損傷箇所から汚染水が漏出し、周囲の環境を汚染することとなるため、遮水シートの損傷箇所の有無を速やかに検知するとともに、検知した損傷箇所に適当な補修を施す必要があり、このための検知方法及び補修方法が多数提案されている。
【０００４】
【発明が解決しようとする課題】
しかしながら、これらの方法によっても、遮水シートの損傷箇所の補修が完了するまでに一定の時間を要することから、汚染水の漏出による周囲の環境の汚染を完全には防止できなかった。
【０００５】
本発明は、上記の廃棄物処分場の有する問題点を解決し、遮水シートが損傷を受けた場合に、損傷箇所から漏出する汚染水の絶対量を低減することにより、周囲の環境の汚染を防止できる廃棄物処分場の遮水構造を提供することを目的とする。
【０００６】
【課題を解決するための手段】
上記目的を達成するため、本発明の廃棄物処分場の遮水構造は、廃棄物処分場に重ねて敷設した遮水シートの間に、表面に円錐台状の凹凸を形成することにより連続した空隙を有する合成樹脂製面状部材を、該合成樹脂製面状部材の表面を不織布フィルタで被覆して、配設したことを特徴とする。
【０００７】
これにより、遮水シートが損傷を受けた場合に、損傷箇所から漏出する汚染水を、遮水シートの間に配設した合成樹脂製面状部材を介して速やかに排出し、損傷箇所から周囲の地盤に漏出する汚染水の絶対量を著しく低減することができる。
また、合成樹脂製面状部材の表面を不織布フィルタで被覆することにより、合成樹脂製面状部材の空隙部に土砂や廃棄物が侵入することを防止して、合成樹脂製面状部材の通水性又は通気性を長期間に亘って良好に維持することができる。
【０００８】
この場合において、廃棄物処分場の法面に敷設した遮水シートの近傍に、表面に円錐台状の凹凸を形成することにより連続した空隙を有する帯状の合成樹脂製面状部材を、該合成樹脂製面状部材の表面を不織布フィルタで被覆して、所定の間隔をあけて配設することができる。
【０００９】
これにより、埋め立てられた廃棄物又は廃棄物処分場の地盤から発生するガスを、遮水シートの近傍に配設した帯状の合成樹脂製面状部材を介して放出し、遮水シートにかかる廃棄物又は地盤から発生したガスの圧力を低減して、遮水シートが損傷を受けることを防止できる。
また、合成樹脂製面状部材の表面を不織布フィルタで被覆することにより、合成樹脂製面状部材の空隙部に土砂や廃棄物が侵入することを防止して、合成樹脂製面状部材の通水性又は通気性を長期間に亘って良好に維持することができる。
【００１０】
【発明の実施の形態】
以下、本発明の廃棄物処分場の遮水構造の実施の形態を図面に基づいて説明する。
【００１１】
本発明を適用する廃棄物処分場の地盤１０は、図１に示すように、廃棄物を埋め立て処分しやすい、底部１０ａ、法面下段部１０ｂ、法面小段部１０ｃ、法面上段部１０ｄ及び法面天端部１０ｅからなる擂り鉢形状をしており、この地盤１０上の全面に遮水層１を敷設する。
【００１２】
法面小段部１０ｃ及び法面天端部１０ｅには、帯状にコンクリートを打設して遮水層１の定着部２ａ，２ｂを形成する。
地盤１０の底部１０ａ上に敷設した遮水層１の上には、上から順に、通水性を有する砕石層４ａ及び砂等の覆土層４ｂを形成するとともに、その適宜位置において遮水層１を窪ませ、その上に形成した砕石層４ａ中に表面に多数の透孔を有する耐圧構造の合成樹脂製排水管３を配設し、汚染水を廃棄物処分場の外に排出するように構成する。
【００１３】
遮水層１の層構造は、地盤１０の底部１０ａ、法面下段部１０ｂ、法面小段部１０ｃ、法面上段部１０ｄ及び法面天端部１０ｅ等、その位置に応じて変更することができ、本例においては、次のような層構造を採用している。
(a) 底部１０ａにおいては、上から順に、遮水シート１ａ、不織布１ｂ、表面に凹凸を形成することにより連続した空隙を有する合成樹脂製面状部材１ｃ、遮水シート１ｄ及び不織布１ｅの５層構造としている（図２（ａ））。
(b) 法面下段部１０ｂにおいては、上から順に、遮水シート１ｆ、不織布１ｇ、表面に凹凸を形成することにより連続した空隙を有する合成樹脂製面状部材１ｈ、遮水シート１ｉ及び不織布１ｊの５層構造としている（図２（ｂ））。
(c) 法面小段部１０ｃにおいては、遮水層１の定着部２ａを境として、下方側を、上から順に、遮水シート１ｆ、不織布１ｇ、表面に凹凸を形成することにより連続した空隙を有する合成樹脂製面状部材１ｈ、遮水シート１ｉ及び不織布１ｊの５層構造とし、上方側を、上から順に、遮水シート１ｍ、不織布１ｎ、遮水シート１ｐ及び不織布１ｑの４層構造とし、定着部２ａにおいて、下方側の遮水シート１ｆ及び上方側の遮水シート１ｍを、定着部２ａに配設したアンカーシート１ｋに熱融着等により接合するようにしている（図２（ｂ））。
(d) 法面上段部１０ｄにおいては、上から順に、遮水シート１ｍ、不織布１ｎ、遮水シート１ｐ及び不織布１ｑの４層構造としている。
(e) 法面天端部１０ｅにおいては、遮水層１の定着部２ｂを境として、下方側を、上から順に、遮水シート１ｍ、不織布１ｎ、遮水シート１ｐ及び不織布１ｑの４層構造とし、定着部２ｂにおいて、下方側の遮水シート１ｍを、定着部２ｂに配設したアンカーシート１ｒに熱融着等により接合するようにしている（図２（ｄ））。
【００１４】
この場合において、遮水シート１ａ，１ｄ，１ｆ，１ｉ，１ｍ，１ｐには、従来使用されているポリエチレン、ポリ塩化ビニル、ポリプロピレン等の合成樹脂製のシートやゴム製のシートを用いることができる。
また、不織布１ｂ，１ｅ，１ｇ，１ｊ，１ｎ，１ｑは、遮水シート１ａ，１ｄ，１ｆ，１ｉ，１ｍ，１ｐが損傷を受けないように配設するもので、これには、耐腐食性を有するポリプロピレン等の合成繊維製の不織布を用いることができる。
また、合成樹脂製面状部材１ｃ，１ｈは、遮水シート１ａ，１ｆが損傷を受けた場合に、損傷箇所から漏出する汚染水を廃棄物処分場の外に速やかに排出するために配設するもので、例えば、図３に示すような、表面に多数の円錐台状の凹凸を形成した高密度ポリエチレン等の合成樹脂製面状部材１ｃ１の表面及び裏面をポリプロピレン等の不織布フィルタ１ｃ２，１ｃ３で被覆した面状排水材（タキロン株式会社製の面状排水材（商品名「グリ・シート」））を用いることができる。
なお、上記面状排水材には、表面に多数の凹凸を形成した高密度ポリエチレン等の合成樹脂製面状部材１ｃ１の表面のみをポリプロピレン等の不織布フィルタ１ｃ２で被覆して構成したものを使用することもできる。
また、合成樹脂製面状部材１ｃ，１ｈの適宜の位置には、遮水シート１ａ，１ｆが損傷を受けた場合に、損傷箇所から漏出する汚染水を廃棄物処分場の外に排出するための汚染水排水設備（図示省略）を設けるようにする。なお、この汚染水排水設備は、遮水層１の上に形成した砕石層４ａ中に配設した合成樹脂製排水管３の汚染水排水設備（図示省略）と共用することができる。
また、アンカーシート１ｋ，１ｒには、アンカーシート１ｋ，１ｒを定着部２ａ，２ｂに強固に固定できるように、下面に多数のアンカー片を形成したポリエチレン、ポリプロピレン等の合成樹脂製のシートを用いることができる。
また、上記実施例においては、法面上段部１０ｄの遮水層１の層構造として、上から順に、遮水シート１ｍ、不織布１ｎ、遮水シート１ｐ及び不織布１ｑの４層構造を採用しているが、この種の擂り鉢形状の廃棄物処分場の場合、上方ほど水質がよくなり、また、遮水シートが損傷を受けた場合に、損傷箇所から漏出する水量自体も少なくなることから、法面上段部１０ｄの遮水層１の層構造として、遮水シート１ｐ及び不織布１ｑを省略した、遮水シート１ｍ及び不織布１ｎの２層構造を採用することもできる。
【００１５】
廃棄物処分場の地盤１０の法面下段部１０ｂ、法面小段部１０ｃ及び法面上段部１０ｄ上に敷設した遮水層１の近傍には、埋め立てられた廃棄物又は廃棄物処分場の地盤１０から発生するガスを大気中に放出することができるように、図４及び図５に示すように、表面に凹凸を形成することにより連続した空隙を有する帯状の合成樹脂製面状部材６ａ，６ｂを所定の間隔をあけて配設する。
このうち、合成樹脂製面状部材６ａは、図４に示すように、遮水層１の上方に近接して、かつ、下端を地盤１０の底部１０ａ上に敷設した遮水層１の上に形成した砕石層４ａに、上端を大気中にそれぞれ位置するように配設したもので、この合成樹脂製面状部材６ａを介して、埋め立てられた廃棄物から発生するガスを大気中に放出することができるようにしたものである。
一方、合成樹脂製面状部材６ｂは、図５に示すように、遮水層１の下方に近接して、かつ、下端を地盤１０の底部１０ａ上に敷設した遮水層１の下に形成した地下水排水設備５の砕石層５ｂに、上端を放出管６ｃを介して大気中にそれぞれ位置するように配設したもので、この合成樹脂製面状部材６ｂ及び放出管６ｃを介して、廃棄物処分場の地盤１０から発生するガスを大気中に放出することができるようにしたものである。
【００１６】
このように、合成樹脂製面状部材６ａの下端を砕石層４ａに位置させることにより、地盤１０の底部１０ａ近傍の廃棄物から発生するガスを砕石層４ａ及び合成樹脂製面状部材６ａを介して大気中に放出することができ、一方、合成樹脂製面状部材６ｂの下端を地下水排水設備５の砕石層５ｂに位置させることにより、地盤１０の底部１０ａから発生するガスを砕石層５ｂ、合成樹脂製面状部材６ｂ及び放出管６ｃを介して大気中に放出することができる。
【００１７】
この場合において、合成樹脂製面状部材６ａ，６ｂには、例えば、図３に示すような、表面に多数の凹凸を形成した高密度ポリエチレン等の合成樹脂製面状部材１ｃ１の表面及び裏面をポリプロピレン等の不織布フィルタ１ｃ２，１ｃ３で被覆した面状排水材（タキロン株式会社製の面状排水材（商品名「グリ・シート」））を転用することができる。
なお、上記面状排水材には、表面に多数の凹凸を形成した高密度ポリエチレン等の合成樹脂製面状部材１ｃ１単体で構成したものや、この合成樹脂製面状部材１ｃ１の表面のみをポリプロピレン等の不織布フィルタ１ｃ２で被覆して構成したものを使用することもできる。
また、地下水排水設備５は、地盤１０の底部１０ａ上に敷設した遮水層１の下に形成され、砂等の覆土層５ａと、覆土層５ａの下に形成した通水性を有する砕石層５ｂと、砕石層５ｂ中に配設した表面に多数の透孔を有する耐圧構造の合成樹脂製排水管５ｃとから構成され、地盤１０中の過剰な地下水を廃棄物処分場の外に排出することができるようにしたものである。
【００１８】
【発明の効果】
本発明の廃棄物処分場の遮水構造によれば、遮水シートが損傷を受けた場合に、損傷箇所から漏出する汚染水を、遮水シートの間に配設した合成樹脂製面状部材を介して速やかに排出し、損傷箇所から周囲の地盤に漏出する汚染水の絶対量を著しく低減することができ、これにより、汚染水の漏出による周囲の環境の汚染を防止することができる。
また、合成樹脂製面状部材の表面を不織布フィルタで被覆することにより、合成樹脂製面状部材の空隙部に土砂や廃棄物が侵入することを防止して、合成樹脂製面状部材の通水性又は通気性を長期間に亘って良好に維持することができる。
【００１９】
また、廃棄物処分場の法面に敷設した遮水シートの近傍に、表面に凹凸を形成することにより連続した空隙を有する帯状の合成樹脂製面状部材を配設することにより、埋め立てられた廃棄物又は廃棄物処分場の地盤から発生するガスを、遮水シートの近傍に配設した帯状の合成樹脂製面状部材を介して放出し、遮水シートにかかる廃棄物又は地盤から発生したガスの圧力を低減して、遮水シートが損傷を受けることを防止することができる。
また、合成樹脂製面状部材の表面を不織布フィルタで被覆することにより、合成樹脂製面状部材の空隙部に土砂や廃棄物が侵入することを防止して、合成樹脂製面状部材の通水性又は通気性を長期間に亘って良好に維持することができる。
【図面の簡単な説明】
【図１】  本発明の廃棄物処分場の遮水構造の一例を示す縦断面図である。
【図２】  図１の要部拡大図で、（ａ）は図１のＡ部分、（ｂ）は図１のＢ部分、（ｃ）は図１のＣ部分、（ｄ）は図１のＤ部分をそれぞれ示す。
【図３】  合成樹脂製面状部材の一例を示し、（ａ）は不織布フィルタの一部を切除した平面図、（ｂ）は（ａ）のＥ−Ｅ線断面図である。
【図４】  本発明の廃棄物処分場の遮水構造の一例を示し、（ａ）は縦断面図、（ｂ）は正面図、（ｃ）は（ａ）のＦ−Ｆ線断面図である。
【図５】  本発明の廃棄物処分場の遮水構造の一例を示し、（ａ）は縦断面図、（ｂ）は正面図、（ｃ）は（ａ）のＧ−Ｇ線断面図である。
【符号の説明】
１  遮水層
１ａ，１ｄ，１ｆ，１ｉ，１ｍ，１ｐ  遮水シート
１ｂ，１ｅ，１ｇ，１ｊ，１ｎ，１ｑ  不織布
１ｃ，１ｈ  合成樹脂製面状部材
１ｃ１  合成樹脂製面状部材
１ｃ２  不織布フィルタ
１ｃ３  不織布フィルタ
１ｋ，１ｒ  アンカーシート
２ａ，２ｂ  定着部
６ａ，６ｂ  合成樹脂製面状部材
１０  地盤
１０ａ  底部
１０ｂ  法面下段部
１０ｃ  法面小段部
１０ｄ  法面上段部
１０ｅ  法面天端部
【図１】
0003730712.tif 000002
【図２】
0003730712.tif 000003
【図３】
0003730712.tif 000004
【図４】
0003730712.tif 000005
【図５】
0003730712.tif 000006